(57)【要約】【課題】  小さい力でも開閉操作できる辷り出し窓の開閉装置を提供する。【解決手段】  本発明に係る辷り出し窓１は、障子４が自重で上端側が下方へ移動するとともに下端側が辷り出し移動して傾斜状態に開く。その障子４を開閉操作する開閉装置２０は、開閉アーム１２が障子４と開閉アームブラケット１３とに揺動自在に支持される。開閉アームブラケット１３は規制ブラケット１５によって受け止められる。規制ブラケット１５につながっている閉操作ブラケット１４が上昇したときには、閉操作ブラケット１４の当接部２９が開閉アーム１２から離れるとともに規制ブラケット１５が下降することで障子４が自重で開き、閉操作ブラケット１４が下降したときには、当接部２９が開閉アーム１２に当接するとともに規制ブラケット１５が上昇して開閉アームブラケット１３を押し上げることで障子４が閉じられる。【選択図】  図１
2015113580.tif 000002
【特許請求の範囲】
【請求項１】
窓枠（３）内に障子（４）を配置していて、その障子（４）が自重で上端側が下方へ移動するとともに下端側が辷り出し移動することで傾斜状態に開く辷り出し窓の前記障子（４）を開閉操作する開閉装置であって、
一端を前記障子（４）に揺動自在に支持されている開閉アーム（１２）と、上下方向へ移動可能であって前記開閉アーム（１２）の他端を揺動自在に支持している開閉アームブラケット（１３）と、駆動手段（５）によって上下方向へ駆動される閉操作ブラケット（１４）と、上下方向へ移動可能であって前記閉操作ブラケット（１４）につながっている規制ブラケット（１５）とを有しており、
前記規制ブラケット（１５）は、前記開閉アームブラケット（１３）を受け止めるようになっており、
前記閉操作ブラケット（１４）には、前記開閉アーム（１２）に当接して前記障子（４）の閉じ方向へ前記開閉アーム（１２）を押す当接部（２９）を設けており、
前記閉操作ブラケット（１４）が上昇したときには、前記当接部（２９）が前記開閉アーム（１２）から離れるとともに前記規制ブラケット（１５）が下降して前記開閉アームブラケット（１３）の下降を許容することで前記障子（４）が自重で開き、前記閉操作ブラケット（１４）が下降したときには、前記当接部（２９）が前記開閉アーム（１２）に当接するとともに前記規制ブラケット（１５）が上昇して前記開閉アームブラケット（１３）を押し上げることで前記障子（４）が閉じられることを特徴とする辷り出し窓の開閉装置。
【請求項２】
前記閉操作ブラケット（１４）と前記規制ブラケット（１５）とが第１線状体（３２）でつながっており、
前記規制ブラケット（１５）に第１滑車（２７）を設けるとともに、前記窓枠（３）に第２滑車（２８）を設けていて、その第２滑車（２８）より下側に前記閉操作ブラケット（１４）と前記規制ブラケット（１５）とを位置させており、
前記第１線状体（３２）を、前記窓枠（３）において前記規制ブラケット（１５）より上側に固定している一端側から順に前記第１滑車（２７）と前記第２滑車（２８）とに掛け渡したのちに、その他端を、前記閉操作ブラケット（１４）に固定していることを特徴とする請求項１記載の辷り出し窓の開閉装置。
【請求項３】
全閉状態の前記障子（４）をロックするためのロック機構（１６）を有しており、
そのロック機構（１６）は、前記障子（４）に取り付けている係止部材（３６）と、前記窓枠（３）に配置していて前記係止部材（３６）を係止するためのフック（３９）とを有しており、
前記駆動手段（５）と前記閉操作ブラケット（１４）とが第２線状体（３４）でつながっており、
前記フック（３９）は、前記窓枠（３）の横方向に移動可能になっているとともに、付勢手段（４６）によって前記係止部材（３６）の係止を解除する方向へ付勢されており、
前記駆動手段（５）によって前記第２線状体（３４）を当該駆動手段（５）側へ引くことで、前記フック（３９）が前記係止部材（３６）を係止可能な位置に移行し、前記駆動手段（５）による前記第２線状体（３４）の前記引き力を解除することで、前記付勢手段（４６）の付勢力によって前記フック（３９）が前記横方向へ移動して前記フック（３９）による前記係止部材（３６）の係止が解除されることを特徴とする請求項１または２記載の辷り出し窓の開閉装置。
【請求項４】
前記フック（３９）に第３滑車（４５）を連結するとともに、前記窓枠（３）に第４滑車（４７）を設けており、
前記第２線状体（３４）を、前記駆動手段（５）側から順に前記第３滑車（４５）と前記第４滑車（４７）とに掛け渡したのちに、その他端を前記閉操作ブラケット（１４）に固定していることを特徴とする請求項３記載の辷り出し窓の開閉装置。
【発明の詳細な説明】
【技術分野】
【０００１】
本発明は、換気や排煙を行うための辷り出し窓の障子を開閉操作する辷り出し窓の開閉装置に関するものである。
【背景技術】
【０００２】
オフィスビルなどの建物においては、その外壁に、いわゆる辷り出し窓を設置したものがある。その辷り出し窓は、例えば特許文献１に示すように、窓枠の縦枠の上端内側の左右に配置したガイドレールに、障子の上端左右に配置したローラを上下移動可能に係合するとともに、前記縦枠および前記障子の上下方向の中間に上下揺動可能な開閉用アームを掛け渡している。
【０００３】
そして、前記障子は、オペレータ（開閉装置）での開放操作に応じて、自重で上端側が下方へ移動するとともに下端側が建物の外方へ辷り出し移動して傾斜状態に開くようになっている。さらに、その障子の開閉角度は自然風の風圧に応じて変化するようになっている。
【０００４】
また、特許文献１の辷り出し窓では、窓枠の下枠（無目）および障子の下框を引寄せアームで接続している。その引寄せアームは、無目側アームと障子側アームとをつなげて構成しており、オペレータでの閉鎖操作に応じて前記引寄せアームが屈曲姿勢になることで、障子が閉じられる。また、障子が閉じられたときには、窓枠の下枠に取り付けたスライドフックに障子の下框に取り付けたロックピンが係止されて、障子が閉じた状態でロックされるようになっている。
【先行技術文献】
【特許文献】
【０００５】
【特許文献１】特開２００８−３０８９３０号公報
【発明の概要】
【発明が解決しようとする課題】
【０００６】
前記辷り出し窓にあっては、障子を閉じる際には、障子が開こうとする力（復帰付勢力）に抗して前記無目側アームの基端部（無目側の端部）を押して前記引寄せアームを屈曲姿勢に操作するために、第３種テコと同様の作用によって前記復帰付勢力に対して大きな力が必要となり、オペレータなどへの負担が大きいといった問題点があった。
【０００７】
本発明は、かかる不都合を解決することを目的として提供されたものであり、小さい力でも開閉操作できる辷り出し窓の開閉装置を提供することにある。
【課題を解決するための手段】
【０００８】
本発明は、かかる不都合を解決するために、窓枠３内に障子４を配置していて、障子４が自重で上端側が下方へ移動するとともに下端側が辷り出し移動することで傾斜状態に開く辷り出し窓の障子４を開閉操作する開閉装置であって、一端を障子４に揺動自在に支持されている開閉アーム１２と、上下方向へ移動可能であって開閉アーム１２の他端を揺動自在に支持している開閉アームブラケット１３と、駆動手段５によって上下方向へ駆動される閉操作ブラケット１４と、上下方向へ移動可能であって閉操作ブラケット１４につながっている規制ブラケット１５とを有しており、規制ブラケット１５は、開閉アームブラケット１３を受け止めるようになっており、閉操作ブラケット１４には、開閉アーム１２に当接して障子４の閉じ方向へ開閉アーム１２を押す当接部２９を設けており、閉操作ブラケット１４が上昇したときには、当接部２９が開閉アーム１２から離れるとともに規制ブラケット１５が下降して開閉アームブラケット１３の下降を許容することで障子４が自重で開き、閉操作ブラケット１４が下降したときには、当接部２９が開閉アーム１２に当接するとともに規制ブラケット１５が上昇して開閉アームブラケット１３を押し上げることで障子４が閉じられることを特徴とする。
【０００９】
ここでの開閉アーム１２の一端は、障子４の縦框６ａの上下方向の中間位置や、前記縦框６ａの下端部や、障子４の下框６ｂなどに支持される場合が該当する。駆動手段５には、手動式のハンドル５ａや内蔵のモータなどで第２線状体３４を巻き取るハンドルボックスや、空気圧モータなどのアクチュエータを用いて第２線状体３４を巻き取るものなどが該当する。
【００１０】
詳しくは、閉操作ブラケット１４と規制ブラケット１５とが第１線状体３２でつながっており、規制ブラケット１５に第１滑車２７を設けるとともに、窓枠３に第２滑車２８を設けていて、第２滑車２８より下側に閉操作ブラケット１４と規制ブラケット１５とを位置させており、第１線状体３２を、窓枠３において規制ブラケット１５より上側に固定している一端側から順に第１滑車２７と第２滑車２８とに掛け渡したのちに、他端を閉操作ブラケット１４に固定している。
【００１１】
ここでの第１線状体３２には、ワイヤロープや化学繊維製のロープやチェーンなどが該当する。窓枠３には方立８なども含まれている。第２滑車２８は、窓枠３の上枠３ｃや方立８などに直接設ける場合や、架台１８などの部材を介して窓枠３の上枠３ｃや方立８などに設ける場合が含まれる。第１線状体３２の一端は、窓枠３の上枠３ｃや方立８などに直接設ける場合や、架台１８などの部材を介して窓枠３の上枠３ｃや方立８などに設ける場合が含まれる。
【００１２】
また、全閉状態の障子４をロックするためのロック機構１６を有しており、ロック機構１６は、障子４に取り付けている係止部材３６と、窓枠３に配置していて係止部材３６を係止するためのフック３９とを有しており、駆動手段５と閉操作ブラケット１４とが第２線状体３４でつながっており、フック３９は、窓枠３の横方向に移動可能になっているとともに、付勢手段４６によって係止部材３６の係止を解除する方向へ付勢されており、駆動手段５によって第２線状体３４を駆動手段５側へ引くことで、フック３９が係止部材３６を係止可能な位置に移行し、駆動手段５による第２線状体３４の引き力を解除することで、付勢手段４６の付勢力によってフック３９が横方向へ移動してフック３９による係止部材３６の係止が解除されるものとすることができる。
【００１３】
ここでの障子４の全閉状態には、障子４がわずかに開いている状態も含まれる。第２線状体３４には、ワイヤロープや化学繊維製のロープやチェーンなどが該当する。係止部材３６は、障子４の下框６ｂなどに直接設ける場合や、ブラケットなどの部材を介して障子４の下框６ｂなどに設ける場合が含まれる。フック３９は、窓枠３の下枠３ｂなどに直接設ける場合や、基台４１や基板３７などの部材を介して窓枠３の下枠３ｂなどに設ける場合が含まれる。フック３９は、揺動可能に構成している場合と、揺動不可能に構成している場合とが含まれる。付勢手段４６には、引っ張りばねなどが該当する。
【００１４】
詳しくは、フック３９に第３滑車４５を連結するとともに、窓枠３に第４滑車４７を設けており、第２線状体３４を、駆動手段５側から順に第３滑車４５と第４滑車４７とに掛け渡したのちに、その他端を閉操作ブラケット１４に固定しているものとすることができる。
【００１５】
ここでは、フック３９に第３滑車４５を直接連結する場合や、連結棒４４などの部材にフック３９を連結するとともに第３滑車４５を連結する場合などが含まれる。第４滑車４７は、窓枠３の下枠３ｂなどに直接設ける場合や、基板３７などの部材を介して窓枠３の下枠３ｂなどに設ける場合が含まれる。
【発明の効果】
【００１６】
本発明の辷り出し窓の開閉装置では、障子４を閉じる際には、駆動手段５によって閉操作ブラケット１４を下降させて規制ブラケット１５を上昇させて、開閉アーム１２の他端を支持している開閉アームブラケット１３を押し上げるので、閉操作ブラケット１４は、障子４の荷重（例えば障子４が開こうとする力）が直接加わっていない規制ブラケット１５を持ち上げることになり、また当接部２９が開閉アーム１２に当接して開閉アーム１２を障子４の閉じ方向へ押すので、前記特許文献１よりも小さな力で障子４を閉じることができ、その分だけ開閉装置の負担を減らすことができる。
【００１７】
また、本発明の開閉装置は、駆動手段５によって閉操作ブラケット１４が上昇したときには、当接部２９が開閉アーム１２から離れるとともに規制ブラケット１５が下降するので、閉操作ブラケット１４の当接部２９や規制ブラケット１５が障子４の開き動作を妨げることがなく、障子４を確実に開くことができる。
【００１８】
加えて、障子４が開いているときに自然風を受けたときには、その風圧に応じて各障子４が閉じようとし、それに伴って開閉アーム１２を介して開閉アームブラケット１３が上方へ押されるが、その際には開閉アームブラケット１３が上方へ移動して、障子４が閉じることが許容される。その結果、障子４は前記自然風と当該障子４の自重とのバランスした角度に確実に揺動することができ、それによって建物内への自然風の吹き込みを適正に調節することができる。
【００１９】
第１線状体３２を規制ブラケット１５に設けた第１滑車２７と、窓枠３に設けた第２滑車２８とに掛け渡していると、第１滑車２７が動滑車として作用し、それによってより小さな力で障子４を閉じることができ、その分だけ開閉装置の負担を減らすことができる。
【００２０】
駆動手段５によって第２線状体３４を駆動手段５側へ引くことで、ロック機構１６のフック３９が係止部材３６を係止可能な位置に移行すると、閉操作ブラケット１４とロック機構１６とを連動させることができる。それにより、ロック機構１６と閉操作ブラケット１４の昇降機構とを別々に構成する場合よりも構成を簡単にすることができるうえ、その構成が簡単な分だけ、それらを駆動する駆動手段５への負担を減らすことができる。
【００２１】
また、駆動手段５による第２線状体３４の引き力を解除するだけで、付勢手段４６の付勢力によってフック３９による係止部材３６の係止が解除されるので、その分だけ係止部材３６の係止解除の構成の簡略化が図れ、それによっても開閉装置の負担を軽減できる。
【００２２】
フック３９に連結した第３滑車４５と、窓枠３に設けた第４滑車４７とに第２線状体３４を掛け渡していると、第３滑車４５が動滑車として作用するので、それによっても小さな力で障子４を閉じることができ、その分だけ開閉装置の負担を減らすことができる。
【図面の簡単な説明】
【００２３】
【図１】本発明に係る辷り出し窓の開閉装置の縦断側面図である。
【図２】本発明に係る辷り出し窓の正面図である。
【図３】図２のＡ―Ａ線矢視断面図である。
【図４】図１のＢ−Ｂ線矢視断面図である。
【図５】本発明の開閉装置の正面図である。
【図６】開閉装置の動作を説明するための縦断側面図である。
【図７】開閉装置の動作を説明するための縦断側面図である。
【図８】本発明に係るロック機構の動作を説明するための縦断側面図である。
【発明を実施するための形態】
【００２４】
本発明に係る辷り出し窓の開閉装置の一実施例を図面に基づいて説明する。その辷り出し窓１は、図２に示すように、例えば左右方向に並べた２連１組の連窓として構成しており、オフィスビルなどの建物の外壁に形成した開口に取り付けるようになっている。
【００２５】
前記辷り出し窓１は、方形状に枠組みした左右の窓枠３内に障子４をそれぞれ配置しており、各障子４は、方形状に枠組みした框６の内方に板ガラス７をそれぞれ装着している。各障子４の左右の上端には、図１に示すローラ９をそれぞれ配置しており、窓枠３の左右の縦枠３ａの内側面の上端部および左右の障子４・４の間に設けている方立８の側面の上端部には、上下方向へ延びるスライドレール１０をそれぞれ取り付けている（図６参照）。そのスライドレール１０に前記ローラ９が上下方向へ移動可能に係合している。
【００２６】
各障子４の框６での左右外側に位置する縦框６ａの外側面の上部および前記縦枠３ａの内側面の上下中間には、上下方向へ揺動自在な揺動アーム１１をそれぞれ掛け渡している。同様に各障子４の左右内側に位置する縦框６ａの外側面の上部および前記方立８の左右の側面の上下中間にも、前記揺動アーム１１をそれぞれ掛け渡している。各障子４は、その自重で上端側がスライドレール１０に沿って降下することに伴って、揺動アーム１１によって建物外方へ向けて突き出され、それによって傾斜状に開くようになっている（図６や図７の状態）。
【００２７】
前記建物の内壁などには、図２に示すように、ハンドルボックス（駆動手段）５を設けており、そのハンドルボックス５には、ハンドル５ａと換気用釦５ｂと排煙用釦５ｃとを設けている。そして、ハンドルボックス５のハンドル５ａを回すことで各障子４が閉じられる。
【００２８】
その各障子４を閉じた状態でハンドルボックス５の換気用釦５ｂを押すと、各障子４が所定の換気姿勢（図６の姿勢）に開かれる。また、各障子４を閉じた状態でハンドルボックス５の排煙用釦５ｃを押すと、各障子４が所定の排煙姿勢（図７の姿勢）に開かれる。その排煙姿勢での障子４の開度は、前記換気姿勢での障子４の開度よりも大きくなっている。各障子４は、換気姿勢または排煙姿勢に開いている状態で自然風を受けたときには、その風圧に応じた開度（障子４の傾斜角度）に揺動する。
【００２９】
前記方立８での建物の内側には、前記ハンドルボックス５での操作に応じて両障子４・４を開閉操作する開閉装置２０を配置している。その開閉装置２０には、図１および図５に示すように、左右の開閉アーム１２・１２と、左右の開閉アームブラケット１３・１３と、閉操作ブラケット１４と、左右の規制ブラケット１５・１５と、ロック機構１６とを有している。
【００３０】
前記各開閉アーム１２は、図１に示すように、その一端（図１では下端）を各障子４に取り付けている取付金具３０にそれぞれ揺動自在に支持されており、他端（図１では上端）を前記各開閉アームブラケット１３にそれぞれ揺動自在に支持されている。詳しくは、各取付金具３０は、各障子４の框６での方立８側に位置する縦框６ａの下部に取り付けている。各開閉アーム１２は、障子４が全閉状態になっている図１の閉じ姿勢で、上下方向（長さ方向）の中間で建物外方へ向けて斜めに屈曲したのちに、その下側でさらに下方に向けて屈曲している。
【００３１】
前記閉操作ブラケット１４は、各開閉アーム１２をそれぞれ前記閉じ姿勢に操作するためのものであり、前記各規制ブラケット１５は、前記各開閉アームブラケット１３をそれぞれ受け止めて、その開閉アームブラケット１３の下方への移動を規制するためのものである。前記ロック機構１６は、全閉状態の各障子４をそれぞれロックするためのものである。なお、図１では、障子４が全閉状態になっている。
【００３２】
方立８の建物内方側には、図５に示すように、上下方向へ延びている架台１８を固定している。その架台１８の左右の各端部１８ａは、建物内方へそれぞれ屈曲していて、その架台１８の各端部１８ａの外側には、第１レール１９をそれぞれ取り付けている。各第１レール１９は、方立８（架台１８）に沿って上下方向へ延びている。
【００３３】
前記各開閉アームブラケット１３は、図１に示すように、その内側（方立８側）に上下一対のローラ１７・１７をそれぞれ有しており、その開閉アームブラケット１３の一対のローラ１７・１７が、前記各第１レール１９にそれぞれ係合している。それによって各開閉アームブラケット１３が、方立８（架台１８）に沿ってそれぞれ上下方向へ移動可能になっている。
【００３４】
架台１８の中央部１８ｂの建物外方側には、図１および図３に示すように、左右一対の第２レール２１・２１をそれぞれ取り付けており、各第２レール２１は、方立８（架台１８）に沿って上下方向へ延びている。各規制ブラケット１５の中央部１５ｃの建物内方側には、上下一対のローラ２２・２２をそれぞれ取り付けており、各規制ブラケット１５のローラ２２・２２が架台１８の各第２レール２１にそれぞれ係合している。
【００３５】
また、各規制ブラケット１５は、左右外側となる外側端部１５ａが建物内方へそれぞれ屈曲しており、その外側端部１５ａでの内側（架台１８側）には、上下一対のローラ２３・２３を取り付けている。それらのローラ２３・２３は、前記各第１レール１９において、前記開閉アームブラケット１３のローラ１７の下側に係合している。そして、各規制ブラケット１５のローラ２２・２３が、架台１８のレール１９・２１にそれぞれ係合していることで、各規制ブラケット１５が方立８（架台１８）に沿ってそれぞれ上下方向へ移動可能になっている。
【００３６】
方立８の建物内方側には、左右一対の第３レール２４・２４をそれぞれ取り付けており、各第３レール２４は、方立８に沿って上下方向へ延びている。前記閉操作ブラケット１４の建物外方側の左右には、上下一対のローラ２５・２５をそれぞれ取り付けており、それらのローラ２５・２５が方立８の各第３レール２４にそれぞれ係合している。それによって閉操作ブラケット１４が、方立８（架台１８）に沿って上下方向へ移動可能になっている。
【００３７】
各規制ブラケット１５での架台１８の左右内側となる内側端部１５ｂは、建物外方へそれぞれ屈曲しており、その各内側端部１５ｂの内側の上端には、上下方向へ延びる引っ張りばね２６の上端を係止している。各規制ブラケット１５の引っ張りばね２６の下端は、前記架台１８の下端部にそれぞれ係止している（図５参照）。なお、規制ブラケット１５の内側端部１５ｂは、外側端部１５ａや中央部１５ｃよりも上方へ延びている。
【００３８】
各規制ブラケット１５の中央部１５ｃの建物外方側には、図１および図５に示すように、第１滑車２７をそれぞれ取り付けており、前記架台１９の上端部には、前記各第１滑車２７に対応して左右に第２滑車２８をそれぞれ取り付けている。前記架台１９の上端の左右には、左右一対の第１ワイヤ（第１線状体）３２・３２の一端をそれぞれ固定するワイヤストッパー３３・３３を取り付けており、閉操作ブラケット１４の中央部１４ｃの建物内方側には、その左右方向の中央であって上下方向の中間に、各第１ワイヤ３２の一端を固定するワイヤストッパー３１を取り付けている。
【００３９】
前記各第１ワイヤ３２は、前記一端側から順に前記第１滑車２７と前記第２滑車２８とに掛け渡したのちに、他端を閉操作ブラケット１４のワイヤストッパー３１に固定している。それにより、閉操作ブラケット１４と規制ブラケット１５とがワイヤストッパー３１でつながっている。各規制ブラケット１５は、前記各引っ張りばね２６によってそれぞれ下方へ付勢されており、それによって各規制ブラケット１５の第１滑車２７を介して各第１ワイヤ３２にテンションが付与される。閉操作ブラケット１４と規制ブラケット１５とは、前記第２滑車２８より下側に位置している。
【００４０】
前記閉操作ブラケット１４は、その左右の端部１４ａ・１４ａおよび下端部１４ｂがそれぞれ建物内方へ屈曲しており、その閉操作ブラケット１４の左右の端部１４ａ・１４ａでの左右外側には、前記各開閉アーム１２に当接する横向きの円柱形状の当接部２９をそれぞれ設けている。閉操作ブラケット１４の各当接部２９は、例えば図６に示す状態から閉操作ブラケット１４が下降したときに各開閉アーム１２の建物外方側の側面にそれぞれ当接して、当該各開閉アーム１２を建物内方側（障子４の閉じ方向）へ押すようになっている。
【００４１】
閉操作ブラケット１４の下端部１４ｂ上にはワイヤストッパー３５を配置しており、そのワイヤストッパー３５には、前記ハンドルボックス５から繰り出された第２ワイヤ（第２線状体）３４の一端を固定している。それにより、ハンドルボックス５と閉操作ブラケット１４とが第２ワイヤ３４でつながることになる。なお、前記架台１８の建物内方側には、カバー（図示せず）を取り付けている。
【００４２】
前記ロック機構１６は、図４に示すように、各障子４での下框６ｂの建物内方側にそれぞれ取り付けている左右一対の係止部材３６・３６と、各窓枠３の下枠３ｂでの建物内方側にそれぞれ取り付けていて左右方向に延びている左右一対の基板３７・３７と、各基板３７上にそれぞれ配置している左右一対のフック部材３８・３８とを有している。
【００４３】
各係止部材３６には、前記下框６ｂに固定される（取り付けられる）基部３６ａと、その基部３６ａ上に直立状に設けていて前記フック部材３８に係止される円柱形状の係止部３６ｂとを有している。各フック部材３８は、先端側（建物外方側）を左向きの鉤状に形成していて前記係止部材３６の係止部３６ｂを係止するためのフック３９と、そのフック３９の基端（建物内方側）に設けてあって当該フック３９を揺動自在に支持する揺動軸４０と、その揺動軸４０を取り付けている基台４１と、前記フック３９の基端部３９ａと前記基台４１との間で掛け渡しているコイルばね４２とを有している。つまり、フック３９は、基台４１および基板３７を介して窓枠３の下枠３ｂに取り付けられる。
【００４４】
前記コイルばね４２は、フック３９を図４の反時計方向（左方向）に付勢している。フック３９の基端部３９ａの左側には、突起３９ｂを左方へ突出させており、その突起３９ｂが前記基台４１上に設けているストッパー４１ａに当接することで（図４の状態）、フック３９の前記反時計方向への回転が規制される。それによってフック３９は、係止部材３６の係止部３６ｂから外れた状態（図８の状態）でも図４の姿勢を維持することができる。
【００４５】
ロック機構１６の各基板３７上には、左右方向に延びるガイドレール４３をそれぞれ取り付けており、その左右の基板３７・３７上の両ガイドレール４３・４３に亘って左右方向に延びる連結棒４４を係合している。その連結棒４４上に各フック部材３８の基台４１をそれぞれ取り付けている。それによって各フック部材３８が、ガイドレール４３に沿って連動して左右方向（横方向）へ移動可能になっている。つまり、フック３９は、窓枠３の下枠３ｂに沿って横方向に移動可能になっている。
【００４６】
前記連結棒４４の左端には、前記第２ワイヤ３４が掛け渡される第３滑車４５を取り付けている。それにより、フック３９に第３滑車４５が連結されることになる。前記連結棒４４の右端には、引っ張りばね４６の一端を接続している。引っ張りばね４６の他端は右側の基板３７の右端に固定している。
【００４７】
その引っ張りばね４６によってフック３９が係止部材３６の係止を解除する方向（図４では右方向）へ付勢される。左側の基板３７の左端には、前記第２ワイヤ３４が掛け渡される第４滑車４７を取り付けている。つまり、第４滑車４７は、基板３７を介して窓枠３の下枠３ｂに取り付けられる（設けられる）。また、方立８の下端部には、前記第２ワイヤ３４が掛け渡される第５滑車４８を取り付けている。
【００４８】
前記ハンドルボックス５から繰り出される第２ワイヤ３４は、当該ハンドルボックス５側から順に第３滑車４５と第４滑車４７と第５滑車４８とに掛け渡されたのちに、閉操作ブラケット１４の前記ワイヤストッパー３５につながっている。前記引っ張りばね４６の付勢力によって連結棒４４および第３滑車４５を介して第２ワイヤ３４にテンションが付与される。なお、各窓枠３の内方には、各障子４の框６との間を液密状に塞ぐ止水部材を配置している。
【００４９】
次に、本発明の辷り出し窓の開閉装置の作用を説明する。例えば、各障子４が図１に示す全閉状態のときには、各引っ張りばね２６によって各規制ブラケット１５がそれぞれ下方へ付勢されており、各第１ワイヤ３２を介して閉操作ブラケット１４が上方へ付勢されている。ハンドルボックス５は、第２ワイヤ３４を繰り出し不能な状態にロックしている。
【００５０】
その状態でハンドルボックス５の換気用釦５ｂを押すと、ハンドルボックス５による第２ワイヤ３４のロックが解除され、すなわちハンドルボックス５による第２ワイヤ３４の引き力が解除されて、第２ワイヤ３４の一端が閉操作ブラケット１４によって上方へ引っ張られ、ハンドルボックス５から第２ワイヤ３４が繰り出される。つまり、閉操作ブラケット１４は、ハンドルボックス５によって上方向へ駆動される。
【００５１】
その閉操作ブラケット１４の上昇によって、閉操作ブラケット１４の各当接部２９が各開閉アーム１２から離れるとともに（図６参照）、各規制ブラケット１５が引っ張りばね２６の付勢力によって下降する。それにより、各開閉アームブラケット１３の下降が許容されて、各障子４を開くことができるようになる。
【００５２】
また、前記第２ワイヤ３４の繰り出しに伴って、ロック機構１６の連結棒４４が引っ張りばね４６によって右方向へ引っ張られて、図８に示すように、各フック部材３８（フック３９）が右方向（横方向）へ移動する。それによって各フック部材３８のフック３９が各係止部材３６の係止部３６ｂからそれぞれ外れて（図８の状態）、係止部材３６の係止が解除され、各障子４が自重で傾斜状に開き始める。その各障子４の開きに伴って各開閉アーム１２を介して各開閉アームブラケット１３がそれぞれ下降し、所定の換気位置に下降している各規制ブラケット１５に受け止められる（図６の状態）。
【００５３】
その各開閉アームブラケット１３が各規制ブラケット１５に受け止められた際には、各開閉アーム１２は図６の傾斜姿勢になっており、そのときには各障子４が図６の換気姿勢まで開かれている。その状態で、各開閉アームブラケット１３は上方への移動が可能になっている（図６参照）。つまり、各障子４が自然風を受けたときには、その風圧に応じて各障子４が閉じようとし、それに伴って各開閉アーム１２を介して各開閉アームブラケット１３が上方へ押されるが、各開閉アームブラケット１３は、前述のように上方への移動が可能なために上昇して、それによって各障子４が閉じることが許容される。その結果、各障子４は、前記自然風と当該障子４の自重とのバランスした角度に揺動する。
【００５４】
各障子４が前記換気姿勢に開いている状態で、ハンドルボックス５のハンドル５ａを回すと、第２ワイヤ３４がハンドルボックス５内に巻き取られ、それに伴って閉操作ブラケット１４が下方へ引っ張られて下降する。つまり、閉操作ブラケット１４は、ハンドルボックス５によって下方向へ駆動される。その閉操作ブラケット１４の下降によって各第１ワイヤ３２が引っ張られて、各規制ブラケット１５が引っ張りばね２６の付勢力に抗して上昇する。
【００５５】
その各規制ブラケット１５の上昇によって各開閉アームブラケット１３が押し上げられて、各開閉アーム１２の他端が上昇し、また閉操作ブラケット１４の各当接部２９が各開閉アーム１２に当接して、当該各開閉アーム１２を建物内方側へ押す。それによって各障子４が閉じ方向へ揺動して前記閉じ姿勢になる。
【００５６】
また、前記第２ワイヤ３４がハンドルボックス５内に巻き取られた際、すなわちハンドルボックス５によって第２ワイヤ３４をハンドルボックス５側へ引いた際には、その第２ワイヤ３４によってロック機構１６の連結棒４４が引っ張りばね４６の付勢力に抗して左方向へ引っ張られ、各フック部材３８が図４の位置に戻る。つまり、フック３９が係止部材３６を係止可能な位置に移行する。
【００５７】
そして、各障子４が全閉する際には、ロック機構１６の各係止部材３６の係止部３６ｂが各フック部材３８のフック３９の先端部（建物外方側の端部）に当接し、フック３９が係止部材３６の係止部３６ｂに押されてコイルばね４２の付勢力に抗して図４の時計方向に回転（揺動）して、前記係止部３６ｂがフック３９の先端の湾曲部の内方へ入り込む。それによって前記係止部３６ｂがフック３９に係止され、各障子４が全閉状態でロックされる。
【００５８】
一方、各障子４が前記全閉状態のときにハンドルボックス５の排煙用釦５ｃを押すと、前述の換気用釦５ｂを押した場合と同様の動作が行なわれる。異なる点は、ハンドルボックス５からの第２ワイヤ３４の繰り出し量が、前記換気用釦５ｂを押した場合よりも多くなっており、それによって各規制ブラケット１５が前記換気用釦５ｂを押した場合の前記換気位置よりも下方となる排煙位置まで下降する。
【００５９】
その結果、各開閉アームブラケット１３が、前記換気位置よりも下方の前記排煙位置の各規制ブラケット１５で受け止められ、それによって各障子４が図７の排煙姿勢まで開かれる。なお、ハンドルボックス５の排煙用釦５ｃを押したときにも、ロック機構１６の各フック部材３８のフック３９が各係止部材３６の係止部３６ｂからそれぞれ外れて、フック３９が係止部材３６の係止を解除する。
【００６０】
このように、障子４を閉じる際には、閉操作ブラケット１４を下降させて規制ブラケット１５を上昇させて、開閉アーム１２の他端を支持している開閉アームブラケット１３を押し上げるので、閉操作ブラケット１４は、障子４の荷重（例えば障子４が開こうとする力）が直接加わっていない規制ブラケット１５を持ち上げることになり、また当接部２９が開閉アーム１２に当接して開閉アーム１２を障子４の閉じ方向へ押すので、小さな力で障子４を閉じることができる。
【符号の説明】
【００６１】
１  辷り出し窓
３  窓枠
４  障子
５  ハンドルボックス
６  框
８  方立
１２  開閉アーム
１３  開閉アームブラケット
１４  閉操作ブラケット
１５  規制ブラケット
２７  第１滑車
２８  第２滑車
２９  円柱部
３２  第１ワイヤ
３４  第２ワイヤ
３６  係止部材
３９  フック
４５  第３滑車
４６  引っ張りばね
４７  第４滑車
【図１】
2015113580.tif 000003
【図２】
2015113580.tif 000004
【図３】
2015113580.tif 000005
【図４】
2015113580.tif 000006
【図５】
2015113580.tif 000007
【図６】
2015113580.tif 000008
【図７】
2015113580.tif 000009
【図８】
2015113580.tif 000010